(57)【要約】【課題】本特許は、認証用コードが設定されたジョブを実行する際に、ユーザが効率的にジョブを連続して実行できる仕組みを提供することを目的とする。【解決手段】ユーザと対応付けて登録され、認証用コードが設定されたジョブを実行する情報処理装置において、ジョブの指定を受け付け、前記指定されたジョブに対する認証用コードの入力を受け付け、前記入力された認証用コードが正当であると判定された場合に前記ジョブを実行し、前記ジョブの後に別ジョブの指定を受け付けた場合に、当該別ジョブに対して前記認証用コードの入力が省略可能か否かを判定し、前記認証用コードの入力が省略可能と判定された場合、前記認証用コードの入力を受け付けることなく、前記別ジョブを実行する。【選択図】図４
2018186425.tif 000002
【特許請求の範囲】
【請求項１】
ユーザと対応付けて登録され、認証用コードが設定されたジョブを実行する情報処理装置であって、
ジョブの指定を受け付けるジョブ受付手段と、
前記指定されたジョブに対する認証用コードの入力を受け付けるコード受付手段と、
前記入力された認証用コードが正当であると判定された場合に前記ジョブを実行するジョブ実行制御手段と、
前記ジョブ受付手段にて前記ジョブの後に別ジョブの指定を受け付けた場合に、当該別ジョブに対して前記認証用コードの入力が省略可能か否かを判定する判定手段と
を備え、
前記判定手段にて前記認証用コードの入力が省略可能と判定された場合、前記コード受付手段にて前記認証用コードの入力を受け付けることなく、前記ジョブ実行制御手段が前記別ジョブを実行することを特徴とする情報処理装置。
【請求項２】
前記判定手段は、前記別ジョブに対応するユーザが、前記認証用コードが正当であると判定されたジョブに対応するユーザに一致する場合に、前記別ジョブに対して前記認証用コードの入力が省略可能と判定することを特徴とする請求項１に記載の情報処理装置。
【請求項３】
前記判定手段は、前記別ジョブに対応するユーザが、当該別ジョブが指定される直前に実行されたジョブに対応するユーザに一致する場合に、前記別ジョブに対して前記認証用コードの入力が省略可能と判定することを特徴とする請求項１または２に記載の情報処理装置。
【請求項４】
ユーザと対応付けて登録され、認証用コードが設定されたジョブを実行する情報処理装置の制御方法であって、
ジョブ受付手段が、ジョブの指定を受け付けるジョブ受付ステップと、
コード受付手段が、前記指定されたジョブに対する認証用コードの入力を受け付けるコード受付ステップと、
ジョブ実行制御手段が、前記入力された認証用コードが正当であると判定された場合に前記ジョブを実行するジョブ実行制御ステップと、
判定手段が、前記ジョブ受付ステップにて前記ジョブの後に別ジョブの指定を受け付けた場合に、前記別ジョブに対して前記認証用コードの入力が省略可能か否かを判定する判定ステップと
を備え、
前記判定ステップにて前記認証用コードの入力が省略可能と判定された場合、前記コード受付ステップにて前記認証用コードの入力を受け付けることなく、前記ジョブ実行制御ステップにて前記別ジョブを実行することを特徴とする情報処理装置。
【請求項５】
ユーザと対応付けて登録され、認証用コードが設定されたジョブを実行する情報処理装置において実行可能なプログラムであって、
前記情報処理装置を、
ジョブの指定を受け付けるジョブ受付手段と、
前記指定されたジョブに対する認証用コードの入力を受け付けるコード受付手段と、
前記入力された認証用コードが正当であると判定された場合に前記ジョブを実行するジョブ実行制御手段と、
前記ジョブ受付手段にて前記ジョブの後に別ジョブの指定を受け付けた場合に、前記別ジョブに対して前記認証用コードの入力が省略可能か否かを判定する判定手段
として機能させ、
前記判定手段にて前記認証用コードの入力が省略可能と判定された場合、前記コード受付手段にて前記認証用コードの入力を受け付けることなく、前記ジョブ実行制御手段が前記別ジョブを実行することを特徴とするプログラム。
【発明の詳細な説明】
【技術分野】
【０００１】
本発明は、スキャン予約ジョブによりスキャン実行する技術に関する。
【背景技術】
【０００２】
業務関連の帳票等の紙データをスキャンして電子データとして業務システムに取り込む場合に、事前に業務システムにて特定の業務データに対応付けたスキャン予約ジョブを登録しておき、スキャン時に当該スキャン予約ジョブを指定してスキャン実行することにより、関連する業務データに対応付けてスキャンした電子データを登録することができる。
【０００３】
スキャン予約ジョブ登録時には、セキュリティ確保や、他のユーザによる誤使用防止のため、通常、スキャン予約ジョブはユーザに対応付けて登録され、スキャン実行時には、スキャン予約ジョブを登録したユーザ、または、実行権限を与えられたユーザのみがスキャン実行することができるような仕組みが求められる。
【０００４】
特許文献１には、ジョブ実行制限を解除するために入力されたパスワードと予め画像データに対して設定されたパスワードとの照合結果により、前記画像データに対して前記ジョブを実行する方法が開示されている。
【先行技術文献】
【特許文献】
【０００５】
【特許文献１】特開２００９−１６０８４６号公報
【発明の概要】
【発明が解決しようとする課題】
【０００６】
複合機でログイン機能を有するシステムにおいては、複合機にログインしたユーザの情報とスキャン予約ジョブのユーザ情報とを照合することにより実行権限を判断することができるが、複合機でログイン機能を有しないシステムにおいては、スキャン予約ジョブに対して、実行権限を持つユーザのみが認識する認証用コードとしてスキャンコードを設定して、スキャン実行時にユーザに当該スキャンコードを入力させることにより実行権限を判断している。
【０００７】
スキャンコードはユーザ予約ジョブごとに設定されるが、同一ユーザが自分の予約した複数のスキャン予約ジョブを使って順次スキャンする場合にも、都度スキャンコードを入力する必要があり手間となっている。
【０００８】
特許文献１の方法においても、ジョブ実行する画像データごとにパスワードを入力する必要があり、上記の入力の手間の問題は解決されない。
【０００９】
そこで、本特許は、認証用コードが設定されたジョブを実行する際に、ユーザが効率的にジョブを連続して実行できる仕組みを提供することを目的とする。
【課題を解決するための手段】
【００１０】
本発明は、ユーザと対応付けて登録され、認証用コードが設定されたジョブを実行する情報処理装置であって、ジョブの指定を受け付けるジョブ受付手段と、前記指定されたジョブに対する認証用コードの入力を受け付けるコード受付手段と、前記入力された認証用コードが正当であると判定された場合に前記ジョブを実行するジョブ実行制御手段と、前記ジョブ受付手段にて前記ジョブの後に別ジョブの指定を受け付けた場合に、当該別ジョブに対して前記認証用コードの入力が省略可能か否かを判定する判定手段とを備え、前記判定手段にて前記認証用コードの入力が省略可能と判定された場合、前記コード受付手段にて前記認証用コードの入力を受け付けることなく、前記ジョブ実行制御手段が前記別ジョブを実行することを特徴とする。
【発明の効果】
【００１１】
本発明によれば、認証用コードが設定されたジョブを実行する際に、ユーザが効率的にジョブを連続して実行できるようになる。
【図面の簡単な説明】
【００１２】
【図１】本発明の実施形態である情報処理システム１の構成の一例を示すシステム構成図である。
【図２】情報処理システム１を構成するクライアントＰＣ２００、ファイルサーバ３００、業務サーバ４００、システム連携サーバ５００に適用可能な情報処理装置のハードウェア構成の一例を示すブロック図である。
【図３】情報処理システム１を構成する複合機１００に適用可能な情報処理装置のハードウェア構成の一例を示すブロック図である。
【図４】情報処理システム１を構成する各情報処理装置の機能構成の一例を示すブロック図である。
【図５】情報処理システム１のスキャンチケット生成処理の一例を示すフローチャートである。
【図６】情報処理システム１のスキャン処理の一例を示すフローチャートである。
【図７】情報処理システム１のスキャン処理の一例を示すフローチャートである。
【図８】クライアントＰＣ２００のブラウザに表示される画面の一例を示す画面イメージである。
【図９】複合機１００のブラウザに表示される画面の一例を示す画面イメージである。
【図１０】複合機１００のブラウザに表示される画面の一例を示す画面イメージである。
【図１１】複合機１００のブラウザに表示される画面の一例を示す画面イメージである。
【図１２】情報処理システム１で使用するデータ類の一例を示すデータ構成図である。
【発明を実施するための形態】
【００１３】
以下、図面を参照して、本発明の実施形態を詳細に説明する。
【００１４】
図１は、本発明における情報処理システム１のシステム構成の一例を示す図である。
【００１５】
情報処理システム１は、複合機１００、クライアントＰＣ２００、ファイルサーバ３００、業務サーバ４００、システム連携サーバ５００が、ＬＡＮ１０（Ｌｏｃａｌ  Ａｒｅａ  Ｎｅｔｗｏｒｋ）等のネットワークにて通信可能に接続されて構成される。
【００１６】
それぞれの情報処理機器の機能については、図４にて後述する。
【００１７】
以上で図１のシステム構成図の説明を終了する。
【００１８】
以下、図２を用いて、図１に示したクライアントＰＣ２００、ファイルサーバ３００、業務サーバ４００、システム連携サーバ５００に適用可能な情報処理装置のハードウェア構成の一例について説明する。
【００１９】
図２は、情報処理装置のハードウェア構成の一例を示すブロック図である。
【００２０】
図２において、２００１はＣＰＵで、システムバス２００４に接続される各デバイスやコントローラを統括的に制御する。また、ＲＯＭ２００２あるいは外部メモリ２０１１には、ＣＰＵ２００１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
２００３はＲＡＭで、ＣＰＵ２００１の主メモリ、ワークエリア等として機能する。ＣＰＵ２００１は、処理の実行に際して必要なプログラム等をＲＯＭ２００２あるいは外部メモリ２０１１からＲＡＭ２００３にロードして、該ロードしたプログラムを実行することで各種動作を実現するものである。
【００２２】
また、２００５は入力コントローラで、キーボード（ＫＢ）２００９や不図示のマウス等のポインティングデバイス等からの入力を制御する。２００６はビデオコントローラで、ディスプレイ２０１０等の表示器への表示を制御する。なお、表示器はＣＲＴや、液晶ディスプレイ等の様々な種類が存在する。
【００２３】
２００７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるＣＦカードメモリ等の外部メモリ２０１１へのアクセスを制御する。
【００２４】
２００８は通信Ｉ／Ｆコントローラで、ネットワーク（例えば、図１に示したＬＡＮ１０）を介して外部機器と接続・通信するものであり、ネットワークでの通信制御処理を実行する。例えば、ＴＣＰ／ＩＰを用いた通信等が可能である。
【００２５】
なお、ＣＰＵ２００１は、例えばＲＡＭ２００３内の表示情報用領域へアウトラインフォントの展開（ラスタライズ）処理を実行することにより、ディスプレイ２０１０上での表示を可能としている。また、ＣＰＵ２００１は、ディスプレイ２０１０上の不図示のマウスカーソル等でのユーザ指示を可能とする。
【００２６】
本発明を実現するための後述する各種プログラムは、外部メモリ２０１１に記録されており、必要に応じてＲＡＭ２００３にロードされることによりＣＰＵ２００１によって実行されるものである。さらに、上記プログラムの実行時に用いられる定義ファイル及び各種情報テーブル等も、外部メモリ２０１１に格納されており、これらについての詳細な説明も後述する。
【００２７】
以上で図２のハードウェア構成図の説明を終了する。
【００２８】
以下、図３を用いて、図１に示した複合機１００に適用可能な情報処理装置のハードウェア構成の一例について説明する。
【００２９】
図３は、情報処理装置のハードウェア構成の一例を示すブロック図である。
【００３０】
図３において、３０２０はコントローラユニットで、画像入力デバイスとして機能するスキャナ３０６０や、画像出力デバイスとして機能するプリンタ３０５０と接続する一方、ＬＡＮ（例えば、図１に示したＬＡＮ１０）や公衆回線（ＷＡＮ）（例えば、ＰＳＴＮまたはＩＳＤＮ等）と接続することで、画像データやデバイス情報の入出力を行う。
【００３１】
コントローラユニット３０２０において、３００１はＣＰＵで、システム全体を制御するプロセッサである。３００２はＲＡＭで、ＣＰＵ３００１が動作するためのシステムワークメモリであり、プログラムを記録するためのプログラムメモリや、画像データを一時記録するための画像メモリでもある。
【００３２】
３００３はＲＯＭで、システムのブートプログラムや各種制御プログラムが格納されている。３００４は外部記憶装置（ハードディスクドライブ（ＨＤＤ））で、システムを制御するための各種プログラム，画像データ等を格納する。
【００３３】
３００７は操作部インタフェース（操作部Ｉ／Ｆ）で、操作部（ＵＩ）３０３０とのインタフェース部であり、操作部３０３０に表示する画像データを操作部３０３０に対して出力する。また、操作部Ｉ／Ｆ３００７は、操作部３０３０から本システム使用者が入力した情報（例えば、ユーザ情報等）をＣＰＵ３００１に伝える役割をする。なお、操作部３０３０はタッチパネルを有する表示部を備え、該表示部に表示されたボタンを、ユーザが押下（指等でタッチ）することにより、各種指示を行うことができる。
【００３４】
３００５はネットワークインタフェース（Ｎｅｔｗｏｒｋ  Ｉ／Ｆ）で、ネットワーク（ＬＡＮ）に接続し、データの入出力を行う。３００６はモデム（ＭＯＤＥＭ）で、公衆回線に接続し、ＦＡＸの送受信等のデータの入出力を行う。
【００３５】
３００９は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ３０４０が外部Ｉ／Ｆ３００９に接続されている。そして、ＣＰＵ３００１は、この外部Ｉ／Ｆ３００９を介してカードリーダ３０４０によるＩＣカードからの情報読み取りを制御し、該ＩＣカードから読み取られた情報を取得可能である。尚、ＩＣカードに限らず、ユーザを特定することが可能な記憶媒体であればよい。この場合、記憶媒体にはユーザを識別するための識別情報が記憶される。この識別情報は、記憶媒体の製造番号でも、ユーザが企業内で与えられるユーザコードであってもよい。
以上のデバイスがシステムバス３０１０上に配置される。
【００３６】
３００８はイメージバスインタフェース（ＩＭＡＧＥ  ＢＵＳ  Ｉ／Ｆ）であり、システムバス３０１０と画像データを高速で転送する画像バス３０１５とを接続し、データ構造を変換するバスブリッジである。
【００３７】
画像バス３０１５は、ＰＣＩバスまたはＩＥＥＥ１３９４で構成される。画像バス３０１５上には以下のデバイスが配置される。
【００３８】
３０１１はラスタイメージプロセッサ（ＲＩＰ）で、例えば、ＰＤＬコード等のベクトルデータをビットマップイメージに展開する。３０１２はプリンタインタフェース（プリンタＩ／Ｆ）で、プリンタ３０５０とコントローラユニット３０２０を接続し、画像データの同期系／非同期系の変換を行う。また、３０１３はスキャナインタフェース（スキャナＩ／Ｆ）で、スキャナ３０６０とコントローラユニット３０２０を接続し、画像データの同期系／非同期系の変換を行う。
【００３９】
３０１４は画像処理部で、入力画像データに対し補正、加工、編集や、プリント出力画像データに対して、プリンタの補正、解像度変換等を行う。また、これに加えて、画像処理部３０１４は、画像データの回転や、多値画像データに対してはＪＰＥＧ、２値画像データはＪＢＩＧ、ＭＭＲ、ＭＨ等の圧縮伸張処理を行う。
【００４０】
スキャナ３０６０は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０３０から読み取り起動指示することにより、ＣＰＵ３００１がスキャナ３０６０に指示を与え、フィーダは原稿用紙を１枚ずつフィードし原稿画像の読み取り動作を行う。
【００４１】
プリンタ３０５０は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３００１からの指示によって開始する。なお、プリンタ３０５０には、異なる用紙サイズまたは異なる用紙向きを選択できるように複数の給紙段を持ち、それに対応した用紙カセットがある。
【００４２】
操作部３０３０は、ＬＣＤ表示部を有し、ＬＣＤ上にタッチパネルシートが貼られており、システムの操作画面を表示するとともに、表示してあるキーが押されるとその位置情報を操作部Ｉ／Ｆ３００７を介してＣＰＵ３００１に伝える。また、操作部３０３０は、各種操作キーとして、例えば、スタートキー、ストップキー、ＩＤキー、リセットキー等を備える。
【００４３】
ここで、操作部３０３０のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０３０のストップキーは、稼働中の動作を止める働きをする。また、操作部３０３０のＩＤキーは、使用者のユーザＩＤを入力する時に用いる。リセットキーは、操作部からの設定を初期化する時に用いる。
【００４４】
カードリーダ３０４０は、ＣＰＵ３００１からの制御により、ＩＣカード（例えば、ソニー社のＦｅｌｉＣａ（登録商標））内に記憶されている情報を読み取り、該読み取った情報を外部Ｉ／Ｆ３００９を介してＣＰＵ３００１へ通知する。
【００４５】
以上で図３のハードウェア構成図の説明を終了する。
【００４６】
次に、図４を用いて、本発明の実施形態である情報処理システム１の各装置の機能について説明する。
【００４７】
まず、クライアントＰＣ２００の処理を実行するための機能について説明する。
【００４８】
クライアントＰＣ２００は、ブラウザ部２０１等から構成される。
【００４９】
ブラウザ部２０１は、任意のサーバ上で実行されているＷｅｂアプリケーションにＨＴＴＰないしはＨＴＴＰＳプロトコルでリクエストを送信し、サーバから返されるＨＴＭＬメッセージのレスポンスを、クライアントＰＣ２００上の画面にＵＩとして表示する。
【００５０】
図８に示すように、クライアントＰＣ２００のディスプレイ２０１０には、ユーザの利用状況に合わせて、ユーザの利用目的に適った画面を提供する。これらの画面は、ブラウザ部１０１に表示される。実際の画面のデータについては、業務サーバ４００からＨＴＭＬデータとして取得し、それをブラウザ部１０１がクライアントＰＣ２００のディスプレイ２０１０に合わせてレンダリングし、ＵＩとして表示する。
【００５１】
ログイン画面４０００は、ユーザＩＤ、パスワードを入力するフィールドで構成され、ログインボタンを押下されることで、ログイン処理を実施する。ログインが成功すると、顧客リスト画面４１００に遷移する。
【００５２】
顧客リスト画面４１００は、顧客リスト４１０１で構成される。顧客リスト４１０１には、業務サーバ４００に登録されている顧客データ９００が表示される。ユーザは任意の顧客を選択することができ、選択されると顧客詳細画面４２００に遷移する。
【００５３】
顧客詳細画面４２００は、スキャンチケット一覧４２０４とスキャン予約４２０５から構成される。スキャンチケット一覧４２０４には、スキャンチケット９１０がリストとして表示される。すでにスキャン済みのチケットに対しては、ダウンロードが実行できる。スキャン予約４２０５は、種別の選択フィールド４２０１と、スキャンコード入力フィールド４２０２、スキャン予約ボタン４２０３から構成される。
【００５４】
次に、複合機１００の処理を実行するための機能について説明する。
【００５５】
複合機１００は、ブラウザ部１０１、スキャン部１０２、ファイル送信部１０３、スキャンサービス部１０４等から構成される。
【００５６】
ブラウザ部２０１は、任意のサーバ上で実行されているＷｅｂアプリケーションにＨＴＴＰないしはＨＴＴＰＳプロトコルでリクエストを送信し、サーバから返されるＨＴＭＬメッセージのレスポンスを、複合機１００上の画面にＵＩとして表示する。
【００５７】
スキャン部１０２は、複合機１００のスキャナ３０６０を制御して、原稿となる紙上の画像をデジタル化し、任意の画像形式に変換して、任意のサーバの任意のフォルダに送信する機能を提供する。ファイル形式について、例えば、ＪＰＥＧ（Ｊｏｉｎｔ  Ｐｈｏｔｏｇｒａｐｈｉｃ  Ｅｘｐｅｒｔ  Ｇｒｏｕｐ）、ＴＩＦＦ（Ｔａｇｅｄ  Ｉｍａｇｅ  Ｆｉｌｅ  Ｆｏｒｍａｔ）、ＰＤＦ（Ｐｏｒｔａｂｌｅ  Ｄｏｃｕｍｅｎｔ  Ｆｏｒｍａｔ）、ＸＰＳ（ＸＭＬ  Ｐａｐｅｒ  Ｓｐｅｃｉｆｉｃａｔｉｏｎ）、ＯＯＸＭＬ（Ｏｆｆｉｃｅ  Ｏｐｅｎ  ＸＭＬ）などがある。
【００５８】
ファイル送信部１０３は、ＦＴＰ、ＳＭＢ、ＷｅｂＤＡＶなどのプロトコルを使って、任意のサーバに対してファイルを送信する。
【００５９】
スキャンサービス部１０４は、システム連携サーバ５００のスキャン指示部５０２などからのスキャンリクエストを受け付け、スキャン部１０２を制御してスキャンを実行する。
【００６０】
図９、図１０、図１１に示すように、複合機１００の操作部３０３０には、ユーザの利用状況に合わせて、ユーザの利用目的に適った画面を提供する。これらの画面は、ブラウザ部２０１に表示される。実際の画面のデータについては、システム連携サーバ５００からＨＴＭＬデータとして取得し、それをブラウザ部２０１が複合機１００の操作部３０３０に合わせてレンダリングし、ＵＩとして表示する。
【００６１】
メニュー画面６８００には、複合機１００にて実行できる機能をショートカット（ボタン）として表示する。ユーザからショートカットの押下を受け付けることにより、対応する機能を実行する。本実施例では、顧客登録帳票のショートカット６８０１が押下されるとスキャンチケットリスト画面６０００に遷移する。
【００６２】
スキャンチケットリスト画面６０００には、スキャンチケットリスト６００１を表示する。表示されるスキャンチケットは、システム連携サーバ５００が業務サーバ４００から取得してきたものが使われる。任意のチケットを選択し、選択ボタン６００２が押下されると、スキャンコード入力画面６１００に遷移する。
【００６３】
スキャンコード入力画面６１００には、スキャンコード６１０１を入力するフィールドが表示される。ユーザはスキャンチケット作成時に設定したスキャンコードを入力する。ＯＫボタン６１０２が押下されると、スキャン開始画面６２００に遷移する。
【００６４】
スキャン開始画面６２００には、スキャンする上での注意事項が表示され、ユーザはその内容を読んで、原稿を複合機１００にセットし、スキャンボタン６２０１を押下する。その後スキャンが実行され、処理完了画面６３００が表示される。
【００６５】
処理完了画面６３００には、スキャンが完了したメッセージが表示される。ユーザが続けてスキャンをしたいのであれば、続けてスキャンボタン６３０２を押下する。それにより再びスキャンチケットリスト画面６０００に戻ることができる。また、終了ボタン６３０１が押下されると、複合機１００上のブラウザが閉じられる。
【００６６】
エラー画面６９００には、エラーメッセージを表示する。確認６９０１ボタンが押下されると、エラー発生前の画面に戻る。
【００６７】
次に、ファイルサーバ３００の処理を実行するための機能について説明する。
【００６８】
ファイルサーバ３００は、ファイル管理部３０１、ファイル送受信部３０２、ファイル記憶部３１０等から構成される。
【００６９】
ファイル管理部３０１は、ファイル記憶部３１０に保管されているファイルの読み書きや検索などを実行する。
【００７０】
ファイル送受信部３０２は、ＦＴＰ、ＳＭＢ、ＷｅｂＤＡＶなどのプロトコルを使って、任意のサーバに対してファイルを送信したり、任意のサーバからファイルを受信したりする。また、任意のサーバからの検索やファイル取得リクエストに応じて、特定のファイルを返信したり、更新や削除リクエストに応じて、特定のファイルを更新したり、削除したりする。
【００７１】
ファイル記憶部３１０は、ファイルサーバ３００の外部メモリ２０１１に格納される情報で、１又は複数のファイル９２０を格納している。
【００７２】
図１２に示すように、ファイル９２０には、ファイルを一意に識別するファイルＩＤ９２１と、ファイルの実体またはパスとしてファイル９２２が格納される。
【００７３】
次に、業務サーバ４００の処理を実行するための機能について説明する。
【００７４】
業務サーバ４００は、スキャンチケット生成部４０１、スキャンチケット管理部４０２、スキャンチケット送受信部４０３、画面表示制御部４０５、スキャンチケットサービス部４０６、スキャンチケット記憶部４１０、業務データ記憶部４２０等から構成される。
【００７５】
スキャンチケット生成部４０１は、スキャンチケット９１０の生成を行う。
【００７６】
スキャンチケット管理部４０２は、スキャンチケット９１０をスキャンチケット記憶部４１０に書き込んだり、スキャンチケット９１０のステータス９１４を書き換えたりする。
【００７７】
スキャンチケット送受信部４０３は、外部装置からの指示に基づいてスキャンチケット９１０を送信したり、受信したりする。
【００７８】
業務データ管理部４０４は、顧客データ９００などの業務関連データを業務データ記憶部４２０に書き込んだり、業務関連データを書き換えたりする。
【００７９】
画面表示制御部４０５は、クライアントＰＣ２００のブラウザ部２０１等からのＨＴＴＰ・ＨＴＴＰＳプロトコルを使ったリクエストを受け付け、レスポンスとして画面情報をＨＴＭＬデータにして返却する。
【００８０】
スキャンチケットサービス部４０６は、システム連携サーバ５００からのリクエストに応じて、スキャンチケット管理部４０２と協調して、スキャンチケット９１０のリストを返却したり、スキャンチケット９１０のアップデートをしたりする。
【００８１】
スキャンチケット記憶部４１０は、業務サーバ４００の外部メモリ２０１１に格納される情報で、１又は複数のスキャンチケット９１０を格納している。
【００８２】
図１２に示すように、スキャンチケット９１０には、スキャンチケットを一意に識別するチケットＩＤ９１１、スキャンチケットが最後に更新された日付を表す更新日付９１２、スキャンチケットが紐づいている顧客を表す顧客ＩＤ９１３、スキャンチケットの状態（例えば、スキャン予約済み、スキャン済み、など）を表すステータス９１４、どのユーザでチケットが作成されたかを表すユーザＩＤ９１５、ユーザによって設定されたスキャンコード９１６、スキャン予約した文書の種別（例えば、顧客証明書、請求書、など）を表す種別９１７、スキャンされたファイルとの紐づけを表すファイルＩＤ９１８等が格納されている。
【００８３】
業務データ記憶部４２０は、業務サーバ４００の外部メモリ２０１１に格納される情報で、業務サーバ４００が各種業務関連処理で使用する業務関連データや、１又は複数の顧客データ９００等を格納している。
【００８４】
図１２に示すように、顧客データ９００には、顧客を一意に識別する顧客ＩＤ９０１と、顧客名９０２が格納されている。
【００８５】
次に、システム連携サーバ５００の処理を実行するための機能について説明する。
【００８６】
システム連携サーバ５００は、画面表示制御部５０１、スキャン指示部５０２、ファイル送受信部５０３、スキャンチケットサービス呼び出し部５０４等から構成される。
【００８７】
画面表示制御部５０１は、複合機１００のブラウザ部１０１等からのＨＴＴＰやＨＴＴＰＳなどのプロトコルを使ったリクエストを受け付け、レスポンスとして画面情報をＨＴＭＬデータにして返却する。
【００８８】
スキャン指示部５０２は、複合機１００のスキャンサービス部１０４を呼び出し、スキャン実行を指示する。
【００８９】
ファイル送受信部５０３は、複合機１００から、スキャン実行後に送られてくるファイルを受信する。また、ファイルサーバ３００にファイルを送信する。
【００９０】
スキャンチケットサービス呼び出し部５０４は、業務サーバ４００のスキャンチケットサービス部４０６を呼び出して、スキャンチケット９１０のリストを取得したり、スキャンチケット９１０を更新したりする。
【００９１】
図１２に示すように、システム連携サーバ５００のＲＡＭ２００３には、一時スキャン履歴９３０が格納される。一時スキャン履歴９３０には、ユーザＩＤ９３１が格納される。ユーザＩＤ９３１には、最後に使ったスキャンチケット９１０のユーザＩＤ９１５の情報が格納される。履歴は常に最後の一つしか格納せず、それより古い情報については破棄する。
【００９２】
なお、本実施例では履歴を最後の一つしか格納していないが、複数のユーザＩＤの情報を格納するようにしてもよい。また、履歴を所定の期限が経過すれば削除するようにしてもよい。
【００９３】
以上で図４の機能構成図の説明を終了する。
【００９４】
以下、図を参照して本発明に係る情報処理システム１の処理の一例について説明する。
【００９５】
図５は、情報処理システム１のスキャンチケット生成処理の一例を示すフローチャートである。
【００９６】
図５のスキャンチケット生成処理では、クライアントＰＣ２００から業務サーバ４００にアクセスし、スキャンチケット９１０を生成する。
【００９７】
まず、クライアントＰＣ２００は、ブラウザを起動し（ステップＳ１００）、業務サーバ４００にログイン画面表示をリクエストする（ステップＳ１０１）。
【００９８】
業務サーバ４００は、ログイン画面リクエストを受け付け、ログイン画面４０００を生成しクライアントＰＣ２００に返却する（ステップＳ１０２）。
【００９９】
クライアントＰＣ２００は、業務サーバ４００からログイン画面４０００を受け取ってブラウザ部２０１に表示し（ステップＳ１０３）、ユーザからのログイン情報入力を受け付けて、ログイン情報を業務サーバ４００に送信する（ステップＳ１０４）。
【０１００】
業務サーバ４００は、クライアントＰＣ２００からログイン情報を受け付けて、認証を行う（ステップＳ１０５）。認証に成功すると、業務サーバ４００の業務データ記憶部４２０に格納されている顧客データ９００を読み込んで、顧客リスト画面４１００を生成し、クライアントＰＣ２００に返却する（ステップＳ１０６）。
【０１０１】
クライアントＰＣ２００は、業務サーバ４００から顧客リスト画面４１００を受け取ってブラウザ部２０１に表示し（ステップＳ１０７）、ユーザからの顧客選択を受け付け、選択された顧客を業務サーバ４００に送信する（ステップＳ１０８）。
【０１０２】
業務サーバ４００は、クライアントＰＣ２００から選択された顧客を受け付けて、顧客詳細画面４２００を生成し、クライアントＰＣ２００に返却する（ステップＳ１０９）。顧客詳細画面４２００生成時には、スキャンチケット記憶部４１０に格納されているスキャンチケット９１０のリストを読み込んで、その中でスキャンチケット９１０の顧客ＩＤ９１３が、選択された顧客に一致するものだけを抽出し、画面として生成する。
【０１０３】
クライアントＰＣ２００は、業務サーバ４００から顧客詳細画面４２００を受け取ってブラウザ部２０１に表示し（ステップＳ１１０）、ユーザからのスキャンチケット入力を受け付け、スキャンチケット情報を業務サーバ４００に送信する（ステップＳ１１１）。このとき、スキャンチケット入力情報として、ユーザから種別とスキャンコードを受け付ける。
【０１０４】
業務サーバ４００は、クライアントＰＣ２００からスキャンチケット情報を受け付け、スキャンチケットを生成し、スキャンチケット記憶部４１０に格納する（ステップＳ１１２）。このとき、チケットＩＤ９１１には一意なＩＤを割り振り、更新日付９１２は現在の業務サーバ４００のシステム時刻を設定し、顧客ＩＤ９１３には選択された顧客の顧客ＩＤを設定し、ステータス９１４には「予約済」と設定し、ユーザＩＤ９１５にはログイン画面４０００でログインしたユーザＩＤを設定し、スキャンコード９１６には顧客詳細画面４２００でユーザが入力したスキャンコードを設定し、種別９１７には顧客詳細画面４２００でユーザが選択した種別を設定する。この時点では文書はスキャンされておらずスキャンチケットに紐づけるファイルがないのでファイルＩＤ９１８は設定しない。
【０１０５】
業務サーバ４００は、生成したスキャンチケットを含む顧客詳細画面４２００を再生成し（ステップＳ１１３）、クライアントＰＣ２００に送信する。
【０１０６】
クライアントＰＣ２００は、業務サーバ４００から顧客詳細画面４２００を受け取ってブラウザ部２０１に再表示する（ステップＳ１１４）。
【０１０７】
以上で図５のスキャンチケット生成処理の説明を終了する。
【０１０８】
図６、図７は情報処理システム１のスキャン処理の一例を示すフローチャートである。
【０１０９】
図６、図７のスキャン処理では、複合機１００上で、スキャンチケットが選択され、文書がスキャンされる。スキャンされた文書は電子ファイルとなって、ファイルサーバ３００に格納され、スキャンチケット情報が業務サーバ４００上で更新される。
【０１１０】
まず、複合機１００は、メニュー画面６８００上に表示されたブラウザのショートカット（ボタン）６８０１の選択を受け付ける（ステップＳ２００）。ブラウザのショートカット６８０１が選択されると、ショートカットにあらかじめ登録されているシステム連携サーバ５００のＵＲＬへアクセスし、スキャンチケットリスト画面６０００を要求する（ステップＳ２０１）。
【０１１１】
システム連携サーバ５００は、複合機１００からスキャンチケットリスト画面６０００の要求を受け付けると、業務サーバ４００に対して、チケットリスト取得を要求する（ステップＳ２０２）。
【０１１２】
業務サーバ４００は、システム連携サーバ５００からチケットリスト要求を受け付け（ステップＳ２０３）、スキャンチケット記憶部４１０に格納されているスキャンチケット９１０を検索し（ステップＳ２０４）、取得したチケットリストをシステム連携サーバ５００へ返却する（ステップＳ２０５）。
【０１１３】
システム連携サーバ５００は、業務サーバ４００から受け取ったスキャンチケットリストを解析して顧客ＩＤ９１３から顧客名９０２、種別９１７、ユーザＩＤ９１５を抽出し、スキャンチケットリスト画面６０００を作成して、複合機１００に返却する（ステップＳ２０６）。
【０１１４】
複合機１００は、システム連携サーバ５００から、スキャンチケットリスト画面６０００を受け取り、ブラウザ部１０１に表示する（ステップＳ２０７）。
【０１１５】
複合機１００は、ユーザからのスキャンチケット選択を受け付け（ステップＳ２０８）、選択されたスキャンチケットの情報をシステム連携サーバ５００へ送信する（ステップＳ２０８）。
【０１１６】
システム連携サーバ５００は、受け取ったスキャンチケットに含まれるユーザＩＤ９１５と、システム連携サーバ５００に格納されている一時スキャン履歴９３０に含まれるユーザＩＤ９３１とが同じかどうかを比較する（ステップＳ２０９）。
【０１１７】
ステップＳ２０９の判定結果が異なると判定される、もしくは一時スキャン履歴９３０が空であった場合、システム連携サーバ５００は、スキャンコード入力画面６１００を生成し、複合機１００へ送信する（ステップＳ２１０）。
【０１１８】
複合機１００は、システム連携サーバ５００からスキャンコード入力画面６１００を受け取り、ブラウザ部１０１に表示する（ステップＳ２１１）。
【０１１９】
複合機１００は、ユーザからのスキャンコード入力を受け付け、システム連携サーバ５００へ送信する（ステップＳ２１２）。
【０１２０】
システム連携サーバ５００は、複合機１００から送信されてきたスキャンコードと、Ｓ２０８の時点で選択されたスキャンチケット９１０に紐づくスキャンコード９１６が一致しているかどうか判断する（ステップＳ２１３）。
【０１２１】
ステップＳ２１３の判定結果、スキャンコードが一致していないと判定された場合、エラー画面６９００を生成し、複合機１００へ送信する（ステップＳ２１４）。
【０１２２】
複合機１００は、システム連携サーバ５００からエラー画面６９００を受け取り、ブラウザ部１０１に表示する（ステップＳ２１５）。
【０１２３】
複合機１００は、ユーザからの確認ボタン押下を受け付け、システム連携サーバ５００に送信する（ステップＳ２１６）。
【０１２４】
ステップＳ２０９の判定結果が同じと判定された場合、もしくは、ステップＳ２１３の判定結果が一致していると判定された場合、システム連携サーバ５００は、スキャン開始画面６２００を生成し、複合機１００へ返す（ステップＳ２１０）。これにより、ユーザは前回スキャンしたときと同じユーザＩＤを持つスキャンチケットを選択していた場合には、スキャンコード入力を省略することができるため、自身のユーザＩＤを持つスキャンチケットを連続して使うときに毎回スキャンコードを入力するという手間を省くことができ、利便性を高めることができる。一方で、一度同じユーザのスキャンチケットでスキャンコードを入力していないと（一時スキャン履歴にユーザＩＤが格納されていないと）、スキャンコードを省略することができないため、ログインがないシステムにおいても、ユーザのセキュリティを確保する、ということも同時に実現することができる。
【０１２５】
複合機１００は、システム連携サーバ５００からスキャン開始画面６２００を受け取り、ブラウザ部１０１に表示する（ステップＳ２１８）。
【０１２６】
複合機１００は、ユーザからのスキャン開始を受け付け、システム連携サーバ５００へ送信する（ステップＳ２１９）。より具体的には、このとき、ユーザはスキャンする紙文書を複合機１００のスキャナ３０６０にセットした状態で、スキャン開始画面６２００のスキャンボタン６２０１を押下する。
【０１２７】
システム連携サーバ５００は、複合機１００からのスキャン開始リクエストを受け付け、複合機１００にスキャン指示を送信する（ステップＳ２２０）。本実施形態では、複合機１００上で動作しているアプリケーションは、ブラウザ部１０１であり、ブラウザは一般的にはサーバとＨＴＴＰのやりとりしか行わないため、ここでスキャンボタンが押されたとしても、直接複合機１００のスキャン機能を実行することができない。そこで、一旦サーバにスキャン開始が押されたというＨＴＴＰのリクエストを送信し、サーバからは画面系のＨＴＴＰとは別のセッションで、複合機１００で動作するＷｅｂＳｅｒｖｉｃｅを呼び出すことで複合機１００のスキャン機能を実行することを実現している。本実施例によらず、複合機搭載のアプリケーションもしくはブラウザから直接スキャンが実行できるような複合機の場合には、上記のようにサーバを経由せずに、複合機上でボタン押下時にそのままスキャンを実行する形態であってもよい。
【０１２８】
複合機１００は、システム連携サーバ５００からのスキャン指示を受け取り、スキャナ３０６０を稼働させて、スキャンを実行し（ステップＳ２２１）、スキャン文書をＰＤＦなどの電子ファイルへ変換して、システム連携サーバ５００へ送信する（ステップＳ２２２）。
【０１２９】
システム連携サーバ５００は、複合機１００からのファイルを受信し（ステップＳ２２３）、そのファイルをファイルサーバ３００へ送信する（ステップＳ２２４）。
【０１３０】
ファイルサーバ３００は、システム連携サーバ５００からファイルを受信し（ステップＳ２２５）、受信したファイルをファイル記憶部３１０に格納する。このとき一意となるＩＤを発行し、そのファイルに割り当て、ファイルＩＤ９２１とファイル９２２を紐づけて格納し（ステップＳ２２６）、ファイルＩＤ９２１をシステム連携サーバに送信する（ステップＳ２２７）。
【０１３１】
システム連携サーバ５００は、ファイルサーバ３００からファイルＩＤを受信し（ステップＳ２２８）、業務サーバ４００に対してスキャンチケット更新要求を発行する（ステップＳ２２９）。このときスキャンチケット更新要求には、前段のステップＳ２０８で受け付けたスキャンチケットのＩＤと、前段のステップＳ２２８で受け付けたファイルＩＤを含める。
【０１３２】
業務サーバ４００は、システム連携サーバ５００からスキャンチケット更新要求を受け付け（ステップＳ２３０）、該当のスキャンチケットを更新する（ステップＳ２３１）。このとき、スキャンチケット９１０のファイルＩＤ９１８を更新し、同時に、ステータス９１４を「スキャン済」に変更する。これにより、ユーザは、業務サーバ４００の顧客詳細画面４２００にて、各スキャンチケットがスキャン済みかどうかを判断することができる。また、スキャン済みであればファイルＩＤが格納されているので、業務サーバ４００はファイルＩＤをもとにファイルサーバ３００からファイルを取得し、ユーザにファイルをダウンロードさせることが可能になる。
【０１３３】
システム連携サーバ５００は、業務サーバ４００がスキャンチケット９１０を更新すると、処理完了画面６３００を生成し、複合機１００に送信する（ステップＳ２３２）。
【０１３４】
複合機１００は、システム連携サーバ５００から処理完了画面６３００を受け取り、ブラウザ部１０１に表示する（ステップＳ２３３）。
【０１３５】
複合機１００は、ユーザからのボタン入力を受け付け、システム連携サーバ５００に送信する（ステップＳ２３４）。
【０１３６】
システム連携サーバ５００は、複合機１００から送られてきたボタン入力を判定する（ステップＳ２３５）。
【０１３７】
ステップＳ２３５の判別結果、受け付けたボタンが終了ボタン６３０１であった場合には、一時スキャン履歴を削除する（ステップＳ２３６）。これにより、他のユーザが間違って前回実行ユーザのスキャンチケットを選択した場合でもスキャンコード入力が必要となるので、ログインがないシステムにおいてもセキュリティを高めることができる。
【０１３８】
ステップＳ２３５の判別結果、受け付けたボタンが続けてスキャンボタン６３０２であった場合には、一時スキャン履歴９３０を登録・更新する（ステップＳ２３７）。より具体的には、すでに一時スキャン履歴９３０が空の場合には、ステップＳ２０８で受け付けたスキャンチケット９１０に紐づくユーザＩＤ９１５を一時スキャン履歴９３０のユーザＩＤ９３１に登録する。また、一時スキャン履歴９３０にユーザＩＤがすでに登録されていた場合には、ステップＳ２０８で受け付けたスキャンチケット９１０に紐づくユーザＩＤ９１５で一時スキャン履歴９３０のユーザＩＤ９３１を上書きする。これにより、同じユーザが続けてスキャンする場合に、続けて選択されたスキャンチケットが同じユーザのものであった場合、スキャンコード入力を省略することができ、ユーザの利便性を高めることができる。
【０１３９】
ステップＳ２３５を実行後、ステップＳ２０３に戻って処理を繰り返す。
【０１４０】
以上で図６、図７のスキャン処理の説明を終了する。
【０１４１】
上記により、認証用コード（実施例ではスキャンコード）が設定されたジョブを同一ユーザが連続して実行する際に、認証用コードの入力を省略して効率的に実行できるようになる。また、初回のスキャン実行時には認証用コードの入力が必要なため、最低限のセキュリティは確保できる。
【０１４２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１４３】
また、本発明におけるプログラムは、図４に示すフローチャートの処理方法をコンピュータが実行可能なプログラムであり、本発明の記憶媒体は図４の処理方法をコンピュータが実行可能なプログラムが記憶されている。なお、本発明におけるプログラムは図４の各装置の処理方法ごとのプログラムであってもよい。
【０１４４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１４５】
この場合、記録媒体から読み出されたプログラム自体が本発明の新規な機能を実現することになり、そのプログラムを記憶した記録媒体は本発明を構成することになる。
【０１４６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１４７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５０】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１５１】
なお、上述した各実施形態およびその変形例を組み合わせた構成も全て本発明に含まれるものである。
【符号の説明】
【０１５２】
１        情報処理システム
１０      ネットワーク（ＬＡＮ）
１００    複合機
２００    クライアントＰＣ
３００    ファイルサーバ
４００    業務サーバ
５００    システム連携サーバ
【図１】
2018186425.tif 000003
【図２】
2018186425.tif 000004
【図３】
2018186425.tif 000005
【図４】
2018186425.tif 000006
【図５】
2018186425.tif 000007
【図６】
2018186425.tif 000008
【図７】
2018186425.tif 000009
【図８】
2018186425.tif 000010
【図９】
2018186425.tif 000011
【図１０】
2018186425.tif 000012
【図１１】
2018186425.tif 000013
【図１２】
2018186425.tif 000014